(57)【要約】【課題】装置を大型化することなく、かつ、防塵性を確保しつつ、装置内の温度上昇を抑制できるスキャナユニット、レーザー走査光学装置、および画像形成装置を提供する。【解決手段】このスキャナユニットは、ポリゴンミラー１０６と、ポリゴンミラー１０６を回転駆動するモータ１２０と、モータ１２０のコイル１２０ｃ、およびモータ１２０の回転駆動を制御する半導体素子１３０が配置される基板１０２と、ポリゴンミラー１０６、モータ１２０、および基板１０２を防塵し収容する収容筐体１０１とを備え、基板１０２は、収容筐体１０１の内部空間において、基板１０２を境にしてモータ１２０が配置される第１空間Ａ１と、モータ１２０が配置されない第２空間Ａ２とに二分するように配置され、基板１０２は、モータ１２０が配置される第１空間Ａ１により発生した熱を空間Ａ２側に放熱する複数の放熱用穴１０４を含む。【選択図】図８
2012168469.tif 000002
【特許請求の範囲】
【請求項１】
光源から発せられたレーザー光を偏向器により偏向するスキャナユニットであって、
前記偏向器と、
前記偏向器を回転駆動するモータと、
前記モータのコイル、および前記モータの回転駆動を制御する半導体素子が配置される基板と、
前記偏向器、前記モータ、および前記基板を防塵し収容する収容筐体と、を備え、
前記基板は、前記収容筐体の内部空間において、当該基板を境にして前記モータが配置される第１空間と、前記モータが配置されない第２空間とに二分するように配置され、
前記基板は、前記モータが配置される前記第１空間により発生した熱を前記第２空間側に放熱する複数の放熱用穴を含む、スキャナユニット。
【請求項２】
前記収容筐体は、前記第１空間において、前記基板の前記コイルが配置される第１領域と前記半導体素子が配置される第２領域とに仕切る壁部を有し、
前記第１領域に位置する前記基板に設けられる前記放熱用穴には、前記基板よりも熱伝導に優れた熱伝導部材が配置されている、請求項１に記載のスキャナユニット。
【請求項３】
前記基板を挟んで、前記第１領域とは反対側の前記第２空間には、前記放熱用穴を覆うように前記熱伝導部材が配置されている、請求項２に記載のスキャナユニット。
【請求項４】
前記第１領域に位置する前記基板に設けられる前記放熱用穴には、前記第１空間と前記第２空間とを連通する状態で、前記基板の両表面および端面を覆うように前記熱伝導部材が配置されている、請求項２に記載のスキャナユニット。
【請求項５】
前記第２空間が面する前記収容筐体の外表面に放熱部材がさらに配置されている、請求項１から４のいずれかに記載のスキャナユニット。
【請求項６】
前記放熱用穴は、前記放熱部材が設けられる方向に沿って配置されている、請求項５に記載のスキャナユニット。
【請求項７】
前記請求項５または６に記載のスキャナユニットと、
前記スキャナユニットを収容する本体筐体と、を備え、
前記本体筐体は、外部から空気を取り入れる空気流入口を含み、
前記放熱部材によって形成される空気流れ経路の開口端が、前記空気流入口に面している、レーザー走査光学装置。
【請求項８】
請求項７に記載のレーザー走査光学装置を有する、画像形成装置。
【発明の詳細な説明】
【技術分野】
【０００１】
本発明は、スキャナユニット、レーザー走査光学装置、および画像形成装置に関する。
【背景技術】
【０００２】
従来のレーザー走査光学装置の分野では、たとえば、特開２０００−３３８４３９号公報（特許文献１）に示されるように、カバーで覆われた筐体内部の壁部で囲われた空間のうち、ポリゴンミラー、レンズ系等の光学素子が存在しない空間に対応するカバーの一部に、放熱用の穴を設ける構成が開示されている。また、筐体の壁部に穴、切欠等を設け、ポリゴンミラー、レンズ系等の光学素子が存在する空間が筐体の外部と通じている構成も開示されている。
【先行技術文献】
【特許文献】
【０００３】
【特許文献１】特開２０００−３３８４３９号公報
【発明の概要】
【発明が解決しようとする課題】
【０００４】
近年、レーザープリンタ、デジタル複写機等の画像形成装置において、印刷速度の高速化が進んでいる。この高速化に対応するために、レーザー走査光学装置では、レーザーを偏向走査するためのポリゴンミラーを高速で回転させることになる。
【０００５】
ポリゴンミラーを高速回転させると、これに伴いポリゴンモータの軸受け部およびコイル、ポリゴンモータの駆動半導体素子部での発熱量が多くなり、レーザー走査光学装置内の温度が上昇する。その結果、走査光学素子等の熱変形が発生し、感光体上でのビーム照射位置が変化して、画像形成装置における印刷画像の品質劣化が生じてしまうことが懸念される。
【０００６】
特に、最近では高画質を得るために高解像度化し、１２００ｄｐｉ等の高い走査密度が要求されており、ビーム照射位置を高精度に維持する必要がある。このため、レーザー走査光学装置内の温度上昇を抑制して所望のビーム照射位置を維持することは重要である。
【０００７】
上述した特開２０００−３３８４３９号公報（特許文献１）に示されるレーザー走査光学装置では、ポリゴンミラー、レンズ系等の光学素子が存在しない空間に対応するカバーの一部に放熱用の穴を設けているため、放熱用の穴はポリゴンミラー、レンズ系等の光学素子が存在する領域の外側に配置されることになる。このため、レーザー走査光学装置が平面的に見て大型化する。
【０００８】
また、ポリゴンミラー、レンズ系等の光学素子が存在する空間が筐体の壁部に設けられた穴や切欠によって外部と通じているため、外部から粉塵が進入してポリゴンミラー、レンズ系等の光学素子に埃等が付着してしまう。このため、感光体を照射するレーザー光の光量が低下し、画像形成装置における印刷画像の品質が劣化してしまう。
【０００９】
本発明の目的は、装置を大型化することなく、かつ、防塵性を確保しつつ、装置内の温度上昇を抑制できるスキャナユニット、レーザー走査光学装置、および画像形成装置を提供することにある。
【課題を解決するための手段】
【００１０】
この発明に基づいたスキャナユニットにおいては、光源から発せられたレーザー光を偏向器により偏向するスキャナユニットであって、上記偏向器と、上記偏向器を回転駆動するモータと、上記モータのコイル、および上記モータの回転駆動を制御する半導体素子が配置される基板と、上記偏向器、上記モータ、および上記基板を防塵し収容する収容筐体とを備え、上記基板は、上記収容筐体の内部空間において、当該基板を境にして上記モータが配置される第１空間と、上記モータが配置されない第２空間とに二分するように配置され、上記基板は、上記モータが配置される上記第１空間により発生した熱を上記第２空間側に放熱する複数の放熱用穴を含む。
【００１１】
他の形態では、上記収容筐体は、上記第１空間において、上記基板の上記コイルが配置される第１領域と上記半導体素子が配置される第２領域とに仕切る壁部を有し、上記第１領域に位置する上記基板に設けられる上記放熱用穴には、上記基板よりも熱伝導に優れた熱伝導部材が配置されている。
【００１２】
他の形態では、上記基板を挟んで、上記第１領域とは反対側の上記第２空間には、上記放熱用穴を覆うように上記熱伝導部材が配置されている。
【００１３】
他の形態では、上記第１領域に位置する上記基板に設けられる上記放熱用穴には、上記第１空間と上記第２空間とを連通する状態で、上記基板の両表面および端面を覆うように上記熱伝導部材が配置されている。
【００１４】
他の形態では、上記第２空間が面する上記収容筐体の外表面に放熱部材がさらに配置されている。
【００１５】
他の形態では、上記放熱用穴は、上記放熱部材が設けられる方向に沿って配置されている。
【００１６】
この発明に基づいたレーザー走査光学装置においては、上記第２空間が面する上記収容筐体の外表面に放熱フィンがさらに設けられるスキャナユニットと、上記スキャナユニットを収容する本体筐体とを備え、上記本体筐体は、外部から空気を取り入れる空気流入口を含み、上記放熱部材によって形成される空気流れ経路の開口端が、上記空気流入口に面している。
【００１７】
この発明に基づいた画像形成装置においては、上述のレーザー走査光学装置を有する。
【発明の効果】
【００１８】
この発明によれば、装置を大型化することなく、かつ、防塵性を確保しつつ、装置内の温度上昇を抑制できるスキャナユニット、レーザー走査光学装置、および画像形成装置を提供することが可能となる。
【図面の簡単な説明】
【００１９】
【図１】実施の形態におけるスキャナユニットおよびレーザー走査光学装置を備えたカラープリンタを示す概略構成図である。
【図２】レーザー走査光学装置の断面図である。
【図３】レーザー走査光学装置の平面図である。
【図４】レーザー走査光学装置の底面図である。
【図５】実施の形態におけるスキャナユニットの第１斜視図である。
【図６】実施の形態におけるスキャナユニットの第２斜視図である。
【図７】実施の形態におけるスキャナユニットの平面図である。
【図８】図７中ＶＩＩＩ−ＶＩＩＩ線矢視断面図である。
【図９】実施の形態における放熱用穴周りの他の熱伝導構造を示す拡大部分断面図である。
【図１０】他の実施の形態におけるスキャナユニットに設けられる放熱用穴の位置、放熱フィンの位置、および、レーザー走査光学装置に設けられる空気流入口の位置の関係を示す平面図である。
【図１１】熱伝導部材材料の一例を示す図である。
【発明を実施するための形態】
【００２０】
本発明に基づいた実施の形態におけるスキャナユニット、このスキャナユニットを備えたレーザー走査光学装置、さらに、このレーザー走査光学装置を備えた画像形成装置について、以下、図を参照しながら説明する。なお、以下に説明する実施の形態において、個数、量などに言及する場合、特に記載がある場合を除き、本発明の範囲は必ずしもその個数、量などに限定されない。また、同一の部品、相当部品に対しては、同一の参照番号を付し、重複する説明は繰り返さない場合がある。また、各実施の形態における構成を適宜組み合わせて用いることは当初から予定されていることである。
【００２１】
なお、以下においては、画像形成装置の一例として、一般的なフルカラー電子写真方式を採用しているカラープリンタについて説明しているが、本発明は、フルカラー電子写真方式にのみ限定されるものではなく、モノクロ画像のみを形成する１種（ブラック等）のレーザー走査光学装置を採用しているプリンタへの適用も可能である。また、プリンタだけでなく、複写機、ＦＡＸ等の画像形成装置に対して、本発明に基づくスキャナユニットおよびレーザー走査光学装置を搭載することが可能である。
【００２２】
（カラープリンタ１の全体構成、図１参照）
図１に、本発明に係るレーザー走査光学装置２０を搭載したカラープリンタ１の概略構成を示す。このカラープリンタ１は、タンデム方式で４色の画像を合成するように構成されている。
【００２３】
４つの画像形成ステーション２（２Ｙ，２Ｍ，２Ｃ，２Ｋ）の直上に中間転写ベルト１０が配置され、直下にレーザー走査光学装置２０が配置されている。各画像形成ステーション２には、それぞれ、感光体ドラム３（３Ｙ，３Ｍ，３Ｃ，３Ｋ）、現像器４（４Ｙ，４Ｍ，４Ｃ，４Ｋ）、図示しない帯電器、残留トナーのクリーナなどが配置されている。なお、黒色の画像を形成するための画像形成ステーション２Ｋは大型に構成され、使用頻度の高いモノクロ画像を高速で形成できるようにしている。
【００２４】
レーザー走査光学装置２０は、Ｙ，Ｍ，Ｃ，Ｋの画像データに基づいて放射される光束Ｂｙ，Ｂｍ，Ｂｃ，Ｂｋによって各感光体ドラム３上に画像（静電潜像）を形成する。この潜像はトナーによって可視像化される。
【００２５】
中間転写ベルト１０は、駆動ローラ１１および支持ローラ１２に無端状に張り渡されている。中間転写ベルト１０には、矢印Ｙ方向への回転に基づいて上述の各感光体ドラム３上に形成された各色のトナー画像が順次１次転写され、合成される。
【００２６】
記録用紙Ｐは、自動給紙カセット５に収納されており、１枚ずつ所定のタイミングで給紙される。記録用紙Ｐには、通紙経路６を経由して中間転写ベルト１０から２次転写位置１３にて合成トナー画像が２次転写される。２次転写された記録用紙Ｐは、定着装置１５でトナーの加熱定着を施された後、排出ローラ１６から排紙部９上に排出される。
【００２７】
記録用紙Ｐへ両面プリントを行なう場合には、記録用紙Ｐは、スイッチバックローラ１７からカラープリンタ１の外方に搬送され、スイッチバックされて反転経路７を経由して２次転写位置１３に戻される。ここで裏面にトナー画像を２次転写された記録用紙Ｐは排出ローラ１６から排紙部９上に排出される。
【００２８】
（レーザー走査光学装置２０の概略構成、図２〜図４参照）
図２は、レーザー走査光学装置２０の断面図、図３は平面図、図４は底面図である。このレーザー走査光学装置２０は、光源部２１と、偏向器の一例としてポリゴンミラー１０６を含むスキャナユニット１００と第１および第２結像レンズ３１，３２と、各光路ごとに設けた折返しミラー３４，３５，３６および第３結像レンズ３３と、これらの部材を保持する筐体２７とを有する。スキャナユニット１００の詳細構造は後述する。
【００２９】
光源部２１は、レーザーダイオード２２（２２Ｙ，２２Ｍ，２２Ｃ，２２Ｋ）と、合成ミラー２３（２３Ｙ，２３Ｍ，２３Ｃ）と、折返しミラー２４と、シリンドリカルレンズ２５とで構成され、プレート２６に搭載されている。
【００３０】
レーザーダイオード２２Ｋから放射された光束は折返しミラー２４に導かれる。また、レーザーダイオード２２Ｃ，２２Ｍ，２２Ｙからそれぞれ放射された光束は、合成ミラー２３Ｃ，２３Ｍ，２３Ｙでそれぞれ反射し、折返しミラー２４に導かれる。折返しミラー２４で反射された各光束はシリンドリカルレンズ２５で副走査方向Ｚ（図２参照）に集光され、ポリゴンミラー１０６の同一面に副走査方向Ｚに所定の角度を有して導かれる。
【００３１】
これらの光束はポリゴンミラー１０６の回転に基づいて主走査方向Ｘ（図３参照）に等角速度で偏向され、第１および第２結像レンズ３１，３２を透過する。光束Ｂｋは第３結像レンズ３３Ｋを透過して折返しミラー３４Ｋで反射され、感光体ドラム３Ｋ上を露光および走査する。光束Ｂｃは折返しミラー３４Ｃ，３５Ｃで反射されて第３結像レンズ３３Ｃを透過し、さらに折返しミラー３６Ｃで反射され、感光体ドラム３Ｃ上を露光および走査する。
【００３２】
光束Ｂｍは折返しミラー３４Ｍで反射されて第３結像レンズ３３Ｍを透過し、さらに折返しミラー３５Ｍで反射され、感光体ドラム３Ｍ上を露光および走査する。光束Ｂｙは折返しミラー３４Ｙで反射されて第３結像レンズ３３Ｙを透過し、さらに折返しミラー３５Ｙで反射され、感光体ドラム３Ｙ上を露光および走査する。
【００３３】
各感光体ドラム３上での各走査線の書出し位置を検出するため、即ち、主走査同期信号を得るため、ポリゴンミラー１０６で偏向された光束Ｂｋの主走査方向上流側光束は、図３に示すように、検出用ミラー３７で反射されてレンズ３８で集光され、同期信号検出用受光センサ３９に入射する。
【００３４】
なお、筐体２７は、カラープリンタ１の図示しないフレームに、３箇所の固定点Ｚ１，Ｚ２，Ｚ３により、たとえば、ねじ止めにより固定されている（図３参照）。
【００３５】
さらに、色ずれ調整（レジスト調整）として、図３に示すように、部分倍率調整機構４５とスキュー調整機構５０が設置されている。スキュー調整機構５０は駆動源としてブラケット５９を介して筐体２７に固定されたステッピングモータ５１を備えている。なお、部分倍率調整機構４５およびスキュー調整機構５０の詳細な説明は省略する。
【００３６】
（スキャナユニット１００）
次に、図５から図８を参照して、本実施の形態におけるスキャナユニット１００について説明する。なお、図５および図６は、スキャナユニット１００の第１および第２斜視図、図７は、スキャナユニット１００の平面図、図８は、図７中ＶＩＩＩ−ＶＩＩＩ線矢視断面図である。
【００３７】
スキャナユニット１００は、光源であるレーザーダイオード２２（２２Ｙ，２２Ｍ，２２Ｃ，２２Ｋ）から発せられたレーザー光をポリゴンミラー１０６により偏向する。収容筐体１０１は、全体として立方体形状を有し、上面が開放した筒状の本体ケース１０１ｂと、ケースカバー１０１ａとを有している。ケースカバー１０１ａは、本体ケース１０１ｂに対して、その四角がネジ等を用いて固定される。収容筐体１０１は、本体ケース１０１ｂに設けられたフランジ部１１１ｆを用いて、筐体２７にネジ止め固定される。
【００３８】
本体ケース１０１ｂの長手方向の側面には、レーザー光が入射および出射する細長の開口部１０３が設けられている。ケースカバー１０１ａの上面には、放熱部材の一例として、対角線方向に沿って延びる複数の放熱フィン１０１ｆが設けられている。この放熱フィン１０１ｆの形態は、図示する形態に限定されるものでなく、レーザー走査光学装置２０に採用される空冷用の空気流れ方向に沿って、冷却効率が最も高まるように適宜設計される。なお、冷却効率を考慮して、放熱フィン１０１ｆが設けられない場合もある。
【００３９】
本体ケース１０１ｂの内部には、基板１０２が収容されている。基板１０２は、収容筐体１０１の内部空間において、この基板１０２を境にして第１空間Ａ１と、第２空間Ａ２とに二分するように配置されている。具体的には、本体ケース１０１ｂの内部には、底面側から起立する壁部１０７が設けられ、この壁部１０７の頂部を利用して、基板１０２の位置決めが行なわれる。
【００４０】
第１空間Ａ１側（図示においては、基板１０２の下面側）にポリゴンミラー１０６を回転駆動するためのモータ１２０が配置される。また、基板１０２の第１空間Ａ１側の表面には、モータ１２０を構成するコイル１２０ｃおよびモータ１２０の回転駆動を制御する半導体素子１３０が配置されている。
【００４１】
略中央に位置する壁部１０７により、第１空間Ａ１が、基板１０２のコイル１２０ｃが配置される第１領域Ａ１１と半導体素子１３０が配置される第２領域Ａ１２とに仕切られている。
【００４２】
基板１０２には、モータ１２０および半導体素子１３０が配置される第１空間Ａ１により発生した熱を第２空間Ａ２側に放熱する複数の放熱用穴１０４が形成されている。この放熱用穴１０４により、図８中の矢印で示すように、モータ１２０（特に、軸受け部およびコイル１２０ｃ）および半導体素子１３０で発生した熱は、第１空間Ａ１よりも上側に位置する第２空間Ａ２側に向けて放熱されることとなる。なお、放熱用穴１０４の穴径は、装置によって様々であるが、直径約１ｍｍ〜１０ｍｍ程度である。
【００４３】
なお、収容筐体１０１は、内部に収容するポリゴンミラー１０６への埃等の付着を防止（防塵）する必要があることから、開口部１０３には透明のガラス、樹脂部材が嵌め入れられており、また、ケースカバー１０１ａは本体ケース１０１ｂに対して気密性を確保するように取り付けられている。
【００４４】
本実施の形態では、第１領域Ａ１１に位置する基板１０２に設けられる放熱用穴１０４には、基板１０２よりも熱伝導に優れた熱伝導部材１０５が配置されている。具体的には、基板１０２を挟んで、第１領域Ａ１１とは反対側の第２空間Ａ２には、放熱用穴１０４を覆うように熱伝導部材１０５が設けられている。
【００４５】
基板１０２には、ガラスエポキシ樹脂が用いられ、その熱伝導率は、約０．３５Ｗ／ｍｋ程度である。一方、熱伝導部材１０５には、基板１０２よりも熱伝導に優れた熱伝導シリコーンが用いられる。熱伝導シリコーンの具体的材料およびその熱伝導率を図１１に示す。なお、図１１は、熱伝導部材材料の一例を示す図である。
【００４６】
このように、本実施の形態おけるスキャナユニット１００を用いた場合には、基板１０２に複数の放熱用穴１０４が設けられているため、対流によって第１空間Ａ１の内部で発生した熱を第２空間Ａ２側に向けて放熱させることができる。
【００４７】
また、放熱量が大きいと考えられる第１領域Ａ１１とは反対側の第２空間Ａ２には、熱伝導部材１０５として熱伝導シリコーンが配置されることにより、ケースカバー１０１ａの上面に設けられた放熱フィン１０１ｆに効率良く熱を伝えることができる。なお、必要に応じて、第２領域Ａ１２とは反対側の第２空間Ａ２にも熱伝導部材１０５を設けることは可能である。
【００４８】
また、ポリゴンミラー１０６が位置する第１領域Ａ１１に設けられた放熱用穴１０４は、熱伝導部材１０５により覆われているため、この放熱用穴１０４からの埃等の侵入を防止し、ポリゴンミラー１０６への埃等の堆積を防止することも可能となる。
【００４９】
その結果、装置を大型化することなく、かつ、防塵性を確保しつつ、装置内の温度上昇を抑制できるスキャナユニット１００、このスキャナユニット１００を用いたレーザー走査光学装置２０、さらには、このレーザー走査光学装置２０を用いたカラープリンタ１を提供することが可能となる。
【００５０】
なお、収容筐体１０１は気密性を確保するように設けられていることから、放熱用穴１０４からポリゴンミラー１０６が位置する第１領域Ａ１１への埃等の侵入が問題にならない場合も考えられる。
【００５１】
この場合には、図９に示すように、熱伝導シリコーンに代わり放熱用穴１０４に第１空間Ａ１と第２空間Ａ２とを連通する状態で、基板１０２の両表面および端面を覆うように、基板１０２よりも熱伝導に優れた金属性の熱伝導部材１０８を設けるようにしても良い。金属材料の一例としては銅を用いる。熱伝導率は、３９８Ｗ／ｍｋ程度である。なお、図９は、放熱用穴１０４周りの他の熱伝導構造を示す拡大部分断面図である。
【００５２】
これにより、放熱用穴１０４周りにおける伝熱量が増加し、対流によって第１空間Ａ１の内部で発生した熱を第２空間Ａ２側に向けて効率良く放熱させることができる。
【００５３】
ここで、図１０を参照して、他の実施の形態について説明する。なお、図１０は、スキャナユニットに設けられる放熱用穴の位置、放熱フィンの位置、および、レーザー走査光学装置に設けられる空気流入口の位置の関係を示す平面図である。
【００５４】
図１０に示すように、基板１０２に設けられる複数の放熱用穴１０４の位置に関して、放熱用穴１０４を放熱フィン１０１ｆが設けられる方向に沿って配置することで、より効率良く放熱させることができる。図１０に示す収容筐体１０１に設けられる放熱フィン１０１ｆの形態は、収容筐体１０１の長手方向の一辺から短手方向の１辺に向けて円弧形状部と直線形状部とを含むように形成されている。
【００５５】
また、スキャナユニット１００を収容するレーザー走査光学装置２０の筐体２７に放熱を促す構成を採用することも可能である。たとえば、図１０に示すように、複数の放熱フィン１０１ｆによって形成される空気流れ経路１０１ｇの開口端１０１ｈが面する位置に、筐体２７の一部を開放し外部から空気を取り入れる空気流入口２７ｈを設ける。外部ファン１１４を用いて、空気流入口２７ｈから筐体２７の内部に空気（ＡＦ）を送り込むようにすることで、空気（ＡＦ）は、複数の放熱フィン１０１ｆによって形成される空気流れ経路１０１ｇを通過して、効率良く放熱させることが可能となる。
【００５６】
なお、上記各実施の形態において、偏向器の一例としてポリゴンミラー１０６を用いた場合について説明したが、ポリゴンミラー１０６に代わり、レゾナントスキャナやガルバノミラー等を用いることも可能である。
【００５７】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５８】
１  カラープリンタ、２，２Ｋ  画像形成ステーション、３，３Ｃ，３Ｋ，３Ｍ，３Ｙ  感光体ドラム、４  現像器、５  自動給紙カセット、６  通紙経路、７  反転経路、９  排紙部、１０  中間転写ベルト、１１  駆動ローラ、１２  支持ローラ、１３  ２次転写位置、１５  定着装置、１６  排出ローラ、１７  スイッチバックローラ、２０  レーザー走査光学装置、２１  光源部、２２，２２Ｃ，２２Ｍ，２２Ｙ，２２Ｋ  レーザーダイオード、２３，２３Ｃ，２３Ｍ，２３Ｙ  合成ミラー、２４，３４，３５，３６，３４Ｃ，３５Ｃ，３４Ｍ，３４Ｙ  折返しミラー、２５  シリンドリカルレンズ、２６  プレート、２７  筐体、２７Ａ  ポリゴンミラー収容筐体、２７ｈ  空気流入口、３１  第１結像レンズ、３２  第２結像レンズ、３３，３３Ｃ，３３Ｋ，３３Ｍ，３３Ｙ  第３結像レンズ、３４Ｋ，３５Ｍ，３５Ｙ，３６Ｃ  ミラー、３７  検出用ミラー、３８  レンズ、３９  同期信号検出用受光センサ、４３  放熱フィン、４５  部分倍率調整機構、５０  スキュー調整機構、５１  ステッピングモータ、５９  ブラケット、１００  スキャナユニット、１０１  収容筐体、１０１ａ  ケースカバー、１０１ｂ  本体ケース、１０１ｆ  放熱フィン、１０１ｇ  空気流れ経路、１０１ｈ  開口端、１０２  基板、１０３  開口部、１０４  放熱用穴、１０５，１０８  熱伝導部材、１０６  ポリゴンミラー、１０７  壁部、１１１ｆ  フランジ部、１１４  外部ファン、１２０  モータ、１２０ｃ  コイル、１３０  半導体素子。
【図１】
2012168469.tif 000003
【図２】
2012168469.tif 000004
【図３】
2012168469.tif 000005
【図４】
2012168469.tif 000006
【図５】
2012168469.tif 000007
【図６】
2012168469.tif 000008
【図７】
2012168469.tif 000009
【図８】
2012168469.tif 000010
【図９】
2012168469.tif 000011
【図１０】
2012168469.tif 000012
【図１１】
2012168469.tif 000013